(57)【要約】      （修正有）【課題】店頭に陳列して販売する際は場所を大きく取らない形態にでき、購入後に簡単な操作で筆立てを組み立てて使用できる筆立て付き付箋を提供する。【解決手段】展開可能な組み立て式の収納箱１の一面に付箋２を付着して収納可能にし、その収納箱１を内面が外側に面するように反対側へ折り曲げて筒状の筆立て３を組み立てられるようにする。前記収納箱１は、付箋２を付着する背板と、その背板の左右端に備えて付箋２を左右から覆う側板及び表板と、その表板の上下端に備えて付箋２の上下を覆う天板及び底板で構成され、側板及び表板を内面が外側に面するように反対側へ筒状に折り曲げた後、天板及び底板を反対側へ折り曲げて表板を挟むことで筒状を保持できる構造とする。【選択図】図４
0003183088.tif 000002
【実用新案登録請求の範囲】
【請求項１】
多数枚の用紙の端部同士を粘着剤で剥離可能に積層した付箋であって、展開可能な組み立て式の収納箱の一面に前記付箋を付着して収納可能にし、その収納箱を内面が外側に面するように反対側へ折り曲げて筒状の筆立てを組み立てられるようにしたことを特徴とする、筆立て付き付箋。
【請求項２】
多数枚の用紙の端部同士を粘着剤で剥離可能に積層した付箋であって、展開可能な組み立て式の収納箱の一面に前記付箋を付着して収納可能にし、その収納箱を内面が外側に面するように反対側へ折り曲げて筒状の筆立てを組み立てられるようにした筆立て付き付箋において、前記収納箱が、付箋を付着する背板と、その背板の左右端に備えて付箋を左右から覆う側板及び表板と、その表板の上下端に備えて付箋の上下を覆う天板及び底板で構成され、側板及び表板を内面が外側に面するように反対側へ筒状に折り曲げた後、天板及び底板を反対側へ折り曲げて表板を挟むことで筒状を保持できるようにした構造であることを特徴とする、筆立て付き付箋。
【請求項３】
収納箱に付箋の色を確認できるようにする開口部を形成した、請求項１又は２記載の筆立て付き付箋。
【請求項４】
収納箱の両面に絵柄や模様が施された、請求項１〜３いずれか記載の筆立て付き付箋。
【考案の詳細な説明】
【技術分野】
【０００１】
本考案は、鉛筆やボールペン等を立て置く筆立てを備えた付箋に関する。
【背景技術】
【０００２】
付箋に筆立てを備えた技術が特許文献１〜３に開示されている。特許文献１に記載の技術は、付箋を収納する分割開閉式の収納箱の内側に筆記具を差し込む挿入口を形成したことを特徴としている。特許文献２に記載の技術は、付箋の収納箱と筆立て箱を一体化したことを特徴としている。特許文献３に記載の技術は、筆立ての側面に付箋を取り付けて用紙を一枚づつ引き出し可能にしたことを特徴としている。
【０００３】
ところで、これらの技術では、筆立てを備えている分、全体が付箋の寸法より大きくなっており、店頭に陳列して販売する際、場所を取ってしまうという問題があった。
【先行技術文献】
【特許文献】
【０００４】
【特許文献１】実開昭６１−１６６８８７号公報
【特許文献２】実開平５−７０９８１号公報
【特許文献３】実用新案登録第３１６７２６４号公報
【考案の概要】
【考案が解決しようとする課題】
【０００５】
本考案が解決しようとする課題は、従来のこれらの問題点を解消し、店頭に陳列して販売する際は場所を大きく取らない形態にでき、購入後に簡単な操作で筆立てを組み立てて使用できるようにすることにある。
【課題を解決するための手段】
【０００６】
かかる課題を解決した本考案の構成は、
１）  多数枚の用紙の端部同士を粘着剤で剥離可能に積層した付箋であって、展開可能な組み立て式の収納箱の一面に前記付箋を付着して収納可能にし、その収納箱を内面が外側に面するように反対側へ折り曲げて筒状の筆立てを組み立てられるようにしたことを特徴とする、筆立て付き付箋
２）  多数枚の用紙の端部同士を粘着剤で剥離可能に積層した付箋であって、展開可能な組み立て式の収納箱の一面に前記付箋を付着して収納可能にし、その収納箱を内面が外側に面するように反対側へ折り曲げて筒状の筆立てを組み立てられるようにした筆立て付き付箋において、前記収納箱が、付箋を付着する背板と、その背板の左右端に備えて付箋を左右から覆う側板及び表板と、その表板の上下端に備えて付箋の上下を覆う天板及び底板で構成され、側板及び表板を内面が外側に面するように反対側へ筒状に折り曲げた後、天板及び底板を反対側へ折り曲げて表板を挟むことで筒状を保持できるようにした構造であることを特徴とする、筆立て付き付箋
３）  収納箱に付箋の色を確認できるようにする開口部を形成した、前記１）又は２）記載の筆立て付き付箋
４）  収納箱の両面に絵柄や模様が施された、前記１）〜３）いずれか記載の筆立て付き付箋
にある。
【考案の効果】
【０００７】
本考案によれば、店頭に陳列して販売する際は、収納箱に付箋を収納することで全体が付箋とさほど変わらない大きさとなり、従来技術と比較して場所をあまり取らないものとなる。使用する際は、収納箱を展開して内面が外側に面するように反対側へ折り曲げることで筒状に組み立てられ、従来技術と同様に筆立てとして使用することができる。
【図面の簡単な説明】
【０００８】
【図１】実施例の収納箱の展開図である。
【図２】実施例の収納箱に収納した状態を示す付箋の斜視図である。
【図３】実施例の筆立ての組み立てを示す説明図である。
【図４】実施例の筆立ての使用状態を示す付箋の斜視図である。
【考案を実施するための形態】
【０００９】
本考案では、収納箱に収納した付箋を確認する開口部は任意の場所に形成されるが、背板は台紙が設けられることがあり、表板は２枚が重なるから、天板や側板に形成するのが容易で好ましい。また、収納箱には絵柄や模様が施されるが、展開して筆立てを組み立てると内面が外側に面するため、両面に施して筆立ての意匠性を高めても良い。以下、本考案の実施例を図面に基づいて具体的に説明する。
【実施例】
【００１０】
図１に示すように、収納箱１は厚紙製であって、背板１ａと、その背板１ａの左右端に備えた側板１ｂと、その側板１ｂの側端に備えた表板１ｃと、その一方の表板１ｃの上下端に備えた差込片１ｄ付きの天板１ｅ及び底板１ｆで構成され、天板１ｅに開口部１ｇが形成されている。破線は折り曲げ線を示している。収納箱１の両面には絵柄や模様が施される。
【００１１】
付箋２は、長方形状の多数枚の小さな用紙の端部同士が粘着剤で剥離可能に積層されており、付箋２毎に様々な色に着色されている。付箋２の片面には台紙２ａが剥離可能に粘着されており、その台紙２ａが収納箱１の背板１ａに接着されている。台紙２ａの上下部分は接着せず、台紙２ａと背板１ａの間に差込片１ｄが差し込めるようになっている。
【００１２】
その収納箱１の左右の側板１ｂと表板１ｃを折り曲げて天板１ｅ付きの表板１ｃが外側となるように重ね合せて付箋２を包み、天板１ｅと底板１ｆを折り曲げて台紙２ａと背板１ａの間に差込片１ｄを差し込む。収納箱１に収納した状態を図２に示す。
【００１３】
この状態では、全体が付箋２とさほど変わらない大きさとなり、店頭に陳列する際、従来技術と比較して場所をあまり取らないものとなっている。購入者は事前に開口部１ｇを通じて付箋２の現物やその色を確認でき、収納箱１を開けることなく好みのものを選択することができる。
【００１４】
使用する際は、以下の手順で組み立てる。
ａ）天板１ｅと底板１ｆを引き出して左右の側板１ｂと表板１ｃを展開する（図３（ａ）参照）。
ｂ）左右の側板１ｂと表板１ｃを内面が外側に面するように反対側へ折り曲げ、表板１ｃ同士を重ね合わせて筒の形にする。このとき、天板１ｅ付きの表板１ｃが外側となるようにする（図３（ｂ）参照）。
ｃ）天板１ｅと底板１ｆを反対側へ折り曲げて筒内に差し込み、重なっている２枚の表板１ｃを挟むようにして筒の形を保持する（図３（ｃ）参照）。
ｄ）机上に立て置き、組み立てられた筆立て３に鉛筆等の筆記具Ａを入れて使用する（図４参照）。
【産業上の利用可能性】
【００１５】
本考案の技術は、付箋やメモ用紙に利用される。
【符号の説明】
【００１６】
１    収納箱
１ａ  背板
１ｂ  側板
１ｃ  表板
１ｄ  差込片
１ｅ  天板
１ｆ  底板
１ｇ  開口部
２    付箋
２ａ  台紙
３    筆立て
Ａ    筆記具
【図１】
0003183088.tif 000003
【図２】
0003183088.tif 000004
【図３】
0003183088.tif 000005
【図４】
0003183088.tif 000006